(57)【特許請求の範囲】
【請求項１】
対向する一対の足場用建枠の横材間に架け渡された足場板の一側端部と足場用建枠の縦材側との間の隙間を塞ぐための、前記隙間より幅の広いプレート本体と、プレート本体の一側端部上に起立される起立位置とプレート本体上に折り畳まれる折畳位置との間で回転可能にプレート本体に蝶着されていて、固定手段によって起立位置に固定される幅木と、プレート本体の両端に夫々突設されて足場用建枠の横材に掛止される掛止フックとからなるもので、取付けにあたって、プレート本体の掛止フックを足場用建枠の横材に掛止すると共に、プレート本体の他側端部を足場板の一側端部上に載置するようにした足場板用の幅木付き隙間塞ぎプレート。
【請求項２】
前記プレート本体には、足場板の一側端部に係合する係合部材をプレート本体の幅方向に移動調整可能に設けてなる請求項１に記載の足場板用の幅木付き隙間塞ぎプレート。
【請求項３】
前記係合部材は、プレート本体の幅方向に長く形成されたボルト挿通用長孔に挿通されて係合部材の取付け用基端部に螺着される固定ボルトを備え、このボルトを緩めて前記長孔に沿って移動させることにより移動調整可能となっている請求項２に記載の足場板用の幅木付き隙間塞ぎプレート。
【請求項４】
前記固定手段は、プレート本体に蝶着されている幅木の外面側に取り付けられたロック金具からなり、各ロック金具は、プレート本体の一側端部に下向きに突出する端部折り曲げ部を掴むツカミ部を下端部に形成したレバーを、幅木の外面側に枢着すると共に、レバーと幅木との間に、幅木が起立位置にある時にレバー下端部のツカミ部がプレート本体の端部折り曲げ部を掴んでその位置に幅木を固定するように付勢するバネを介装してなる請求項１〜３の何れかに記載の足場板用の幅木付き隙間塞ぎプレート。
【発明の詳細な説明】
【技術分野】
【０００１】
本発明は、建設作業現場で枠組みされる仮設枠組足場において、対向する一対の足場用建枠の横材間に架け渡された足場板の一側端部と足場用建枠の縦材側との間に形成される隙間を塞ぐための幅木付き隙間塞ぎプレートに関する。
【背景技術】
【０００２】
図１は門形の足場用建枠１を示しているが、このタイプの建枠１では、縦材２，２間のスパンが９１４ｍｍのものと１２１９ｍｍのものが多く使用され、そしてこの建枠１に使用される足場板４は、板幅が５００ｍｍのものと２４０ｍｍのものとが多く使用される。いま図１に示すように、例えば、スパンが９１４ｍｍの建枠１を使用して、対向する一対の建枠１，１の横材３，３間に、５００ｍｍ幅の足場板４ａと２４０ｍｍ幅の足場板４ｂとを並列に架け渡し、そして両足場板４ａ，４ｂを互いに接する状態で一方の縦材２側へ寄せると、建枠の縦材である鋼管径４３ｍｍを引くと、図示のように足場板４ｂの一側端部と、もう一方の縦材２側との間には、約１３０ｍｍ程度の隙間Ｓができる。又、スパンが１２１９ｍｍの建枠１を使用して、対向する一対の建枠１，１の横材３，３間に、５００ｍｍ幅の足場板４ａを２枚並列に架け渡し、そして両足場板４ａ，４ｂを互いに接する状態で一方の縦材２側へ寄せると、建枠の縦材である鋼管径４３ｍｍを引くと、図示のように足場板４ｂの一側端部と、もう一方の縦材２側との間には、約１７０ｍｍ程度の隙間Ｓができる。
【０００３】
このように足場板４ｂの一側端部と建枠１の縦材２側との間に１３０ｍｍ又は１７０ｍｍ程度の隙間Ｓができると、作業者が足を踏み外したりして非常に危険であるため、従来では、各種工具類や資材等の落下防止のために足場板の側端部上に設置される幅木を、足場板４ｂの一側端部上に取り付けて、足を踏み外したりすることがないようにしている。尚、図１には、幅広足場板４ａの側端部上に取り付けた周知の幅木１６を仮想線で示している。
【発明の概要】
【発明が解決しようとする課題】
【０００４】
上記のように足場板４ｂの一側端部と建枠１の縦材２側との間に隙間Ｓができる場合に足場板４ｂの一側端部上に幅木を取り付けることにより、一応の安全性は確保できるが、その隙間Ｓ分だけ作業床面積が狭くなるという問題がある。
【０００５】
本発明は、上記の事情に鑑み、足場板の一側端部と建枠の縦材側との間に隙間ができる場合に、その隙間をプレートによって塞ぐようにすると共に、そのプレートの建枠縦材側端部に幅木を取付けるようにした足場板用の幅木付き隙間塞ぎプレートを提供することを目的とする。
【課題を解決するための手段】
【０００６】
上記課題を解決するための手段を、後述する実施形態の参照符号を付して説明すると、請求項１に係る発明の足場板用の幅木付き隙間塞ぎプレートは、対向する一対の足場用建枠１，１の横材３，３間に架け渡された足場板４の一側端部と足場用建枠１の縦材２側との間の隙間Ｓを塞ぐための、前記隙間Ｓより幅の広いプレート本体７と、プレート本体７の一側端部上に起立される起立位置とプレート本体７上に折り畳まれる折畳位置との間で回転可能にプレート本体７に蝶着されていて、固定手段８によって起立位置に固定される幅木６と、プレート本体７の両端に夫々突設されて足場用建枠１の横材３に掛止される掛止フック９とからなるもので、取付けにあたって、プレート本体７の掛止フック９を足場用建枠１の横材３に掛止すると共に、プレート本体７の他側端部を足場板４の一側端部上に載置するようにしたことを特徴とする。
【０００７】
請求項２は、請求項１に記載の足場板用の幅木付き隙間塞ぎプレートにおいて、前記プレート本体７には、足場板４の一側端部に係合する係合部材１８をプレート本体７の幅方向に移動調整可能に設けてなることを特徴とする。
【０００８】
請求項３は、請求項２に記載の足場板用の幅木付き隙間塞ぎプレートにおいて、前記係合部材１８は、プレート本体７の幅方向に長く形成されたボルト挿通用長孔２１に挿通されて係合部材１８の取付け用基端部１８ｂに螺着される固定ボルト２３を備え、このボルト２３を緩めて前記長孔２１に沿って移動させることにより移動調整可能となっていることを特徴とする。
【０００９】
請求項４は、請求項１〜３の何れかに記載の足場板用の幅木付き隙間塞ぎプレートにおいて、前記固定手段８は、プレート本体７に蝶着されている幅木６の外面側に取り付けられたロック金具１１からなり、各ロック金具１１は、プレート本体７の一側端部に下向きに突出する端部折り曲げ部７ａを掴むツカミ部１２ａを下端部に形成したレバー１２を、幅木６の外面側に枢着すると共に、レバー１２と幅木６との間に、幅木６が起立位置にある時にレバー１２下端部のツカミ部１２ａがプレート本体７の端部折り曲げ部７ａを掴んでその位置に幅木６を固定するように付勢するバネ１４を介装してなることを特徴とする。
【発明の効果】
【００１０】
上記解決手段による発明の効果を、後述する実施形態の参照符号を付して説明すると、請求項１に係る発明の幅木６付き隙間塞ぎプレート５によれば、例えば図１に示すように、対向する一対の足場用建枠１，１の横材３，３間に架け渡された足場板４ａ，４ｂにおいて足場板４ｂの一側端部と建枠１の縦材２側との間に形成される隙間Ｓを、プレート本体７によって塞ぐことができ、それにより作業床面積を広くとることができ、またプレート本体７に取り付けた幅木６を起立させることによって、プレート本体７側からの各種工具類や資材等の落下防止を図ることができる。
【００１１】
そして、隙間塞ぎプレート５の取付けにあたっては、プレート本体７の掛止フック９を足場用建枠１の横材３に掛止させ、プレート本体７の他側端部を足場板４ｂの一側端部上に載置するだけでよいから、簡単容易に取り付けることができる。また、幅木６は、使用時は固定手段８によって起立位置に安定状態に固定させることができ、使用しない時にはプレート本体７上に折り畳むことによって、嵩張らず、運搬や保管に便利となる。
【００１２】
請求項２に係る発明によれば、プレート本体７に設けた係合部材１８を、足場板４の一側端部に係合させることによって、プレート本体７の風圧等による浮き上がりを防止することができる。
【００１３】
請求項３に係る発明によれば、固定ボルト２３を緩めることによって係合部材１８をプレート本体７の幅方向に簡単に移動調整でき、またボルト２３を締め付けることによって係合部材１８をプレート本体７に簡単に固定することができる。
【００１４】
請求項４に係る発明によれば、固定手段８はロック金具１１からなり、各ロック金具１１は、プレート本体７の一側端部に下向きに突出する端部折り曲げ部７ａを掴むツカミ部１２ａを下端部に形成したレバー１２を幅木６の外面側に枢着すると共に、レバー１２と幅木６との間に、幅木６が起立位置にある時にレバー１２下端部のツカミ部１２ａがプレート本体７の端部折り曲げ部７ａを掴んでその位置に幅木６を固定するように付勢するバネ１４を介装してなるもので、レバー１２の下端部のツカミ部１２ａをプレート本体７の端部折り曲げ部７ａを係合させるだけで、幅木６を起立姿勢に簡単に固定することができ、また幅木６をプレート本体７上に折り畳む時は、レバー１２の上端部を幅木６の内側へ押せば、ツカミ部１２ａをプレート本体７の端部折り曲げ部７ａから離脱するから、簡単にロック解除することができる。
【図面の簡単な説明】
【００１５】
【図１】本発明に係る幅木付き隙間塞ぎプレートの取付状態を示す側面図である。
【図２】(a) は幅木付き隙間塞ぎプレートの取付状態を示す正面図、(b) は平面図である。
【図３】(a) は幅木付き隙間塞ぎプレートの正面図、(b) は平面図、(c) は側面図、(d) は背面図である。
【図４】(a) は図３の(a) のＡ−Ａ線拡大断面図、(b) は(a) の矢印Ｂから見た図面である。
【図５】図３の(b) の矢印Ｃで示す部分の拡大図である。
【図６】(a) は図３の(c) の拡大詳細図、(b) は図４の(c) のＤ−Ｄ線拡大断面図、(c) は足場板の一側端部に係合する係合部材の拡大図である。
【図７】幅木を起立姿勢に固定する固定手段の作用を示す説明図である。
【発明を実施するための形態】
【００１６】
以下に本発明の好適な一実施形態を図面にもとづいて説明すると、本発明に係る隙間塞ぎプレート５は、図１及び図２に示すように、対向する一対の足場用建枠１，１の横材３，３間に架け渡された板幅の異なる２枚足場板４ａ，４ｂにおいて幅の狭い足場板４ｂの一側端部と建枠１の縦材２側との間に形成される隙間Ｓを塞ぐように構成されたもので、幅木６を備えている。尚、ここに例示する建枠１は縦材２，２のスパンが９１４ｍｍで、対向する一対の建枠１，１の横材３，３間に、５００ｍｍ幅の足場板４ａと２４０ｍｍ幅の足場板４ｂとを並列に架け渡し、そして両足場板４ａ，４ｂを互いに接する状態で一方の縦材２側へ寄せた時に、建枠の縦材である鋼管径４３ｍｍを引くと、足場板４ｂの一側端部と、もう一方の縦材２側との間に形成される約１３０ｍｍ程度の隙間Ｓが発生する。又、建枠１は縦材２，２のスパンが１２１９ｍｍで、対向する一対の建枠１，１の横材３，３間に、５００ｍｍ幅の足場板４ａを２枚並列に架け渡し、そして両足場板４ａ，４ｂを互いに接する状態で一方の縦材２側へ寄せた時に、建枠の縦材である鋼管径４３ｍｍを引くと、足場板４ｂの一側端部と、もう一方の縦材２側との間に形成される約１７０ｍｍ程度の隙間Ｓが発生する。これらの隙間Ｓを、隙間塞ぎプレート５によって塞ぐことができるようになっている。尚、図１において、幅広足場板４ａの外側端部上には従来周知の幅木１６が取り付けられる。
【００１７】
上記隙間塞ぎプレート５は、前記隙間Ｓよりも幅の広い金属板製のプレート本体７と、このプレート本体７の一側端部上に起立される起立位置とプレート本体７上に折り畳まれる折畳位置との間で折り畳み可能にプレート本体７に蝶着されていて、固定手段８によって起立位置に固定可能な金属板製の幅木６と、プレート本体７の両端に夫々突設されて足場用建枠１の横材３に掛止される金属製の掛止フック９とからなるもので、この隙間塞ぎプレート５の取付けにあたっては、プレート本体７の一側端部の両端に突出する掛止フック９，９を足場用建枠１，１の横材３，３に掛止すると共に、プレート本体７の他側端部を足場板４ｂの一側端部上に載置するようになっている。尚、足場板４ａ，４ｂは、その両端に足場用建枠１の横材３に掛止される掛止フック１９を有する。
【００１８】
各掛止フック９は、図３に概略示すように、足場板４に設けられている掛止フック１９と同様に、フック本体９ａと、このフック本体９ａに上下スライド自在に取り付けられた落下錠９ｂとからなるもので、使用にあたっては、落下錠９ｂをフック本体９ａに対し手で引き上げた状態で、フック本体９ａを足場用建枠１の横材３に掛止した後、落下錠９ｂを放せば、落下錠９ｂが自重で落下してフック本体９ａを横材３に対し施錠した状態となる。
【００１９】
プレート本体７は、足場板４ａ，４ｂと同じ長さに形成されたもので、図４及び図６に示すように、プレート本体７の一側端部には下向きに突出する断面Ｌ字状の端部折り曲げ部７ａが設けられ、またプレート本体７の他側端部は、足場板４ｂに対し密接し易いように下向き傾斜した傾斜部片７ｂを形成している。
【００２０】
また図４及び図６に示すように、幅木６は、内側壁６ａと、上壁部６ｂと、下壁部６ｃと、上下壁部６ｂ，６ｃから対向突出するフランジ部６ｄ，６ｄとによって断面略々Ｃ字状に形成されていて、内側壁６ａの下端部が複数箇所（例えば３箇所）で蝶番１０によってプレート本体７の一側端部上面に蝶着され、それによって幅木６は、図７の(a) に示すような起立位置と(d) に示すような折畳位置との間で回転可能となっている。
【００２１】
幅木６をプレート本体７の一側端部上で起立位置に固定する固定手段８は、プレート本体７に蝶着された幅木６の内側壁６ａ外面側に取り付けられた複数、例えば２つのロック金具１１からなる。各ロック金具１１は、図４の(a) ，(b) に示すように、プレート本体７の一側端部に下向きに突出する断面Ｌ字状端部折り曲げ部７ａを掴むツカミ部１２ａを下端部に形成したレバー１２を、幅木６の内側壁６ａ外面側にピン１３で枢着すると共に、レバー１２と幅木６との間に、幅木６が起立位置にある時にレバー下端部のツカミ部１２ａがプレート本体７の端部折り曲げ部７ａを掴んでその起立位置に幅木６を固定するように付勢するコイルバネ１４を介装してなるものである。
【００２２】
上記ロック金具１１のレバー１２を幅木６に枢着するにあたっては、図４の(a) ，(b) に示すように、幅木６の内側壁６ａ外面に取付板１５をリベット１７で固定し、この取付板１５の両端から突出した耳片１５ｏ，１５ｏと、レバー１２の上部側両端から突出した耳片１２ｏ，１２ｏとを互いに嵌合した状態で、これら耳片１２ｏ，１５ｏにピン１３を挿通させると共に、このピン１３とレバー１２と幅木６の内側壁６ａとの間にコイルバネ１４を介装し、このコイルバネ１４によって図４の(a) に示すようにレバー１２の下部側を幅木６の下部側フランジ部６ｄ外面に弾接させるようにしたもので、常時は同図の実線図示のようにレバー１２下端部のツカミ部１２ａがプレート本体７の端部折り曲げ部７ａを掴み得る状態にあるから、レバー１２の下端部のツカミ部１２ａをプレート本体７の端部折り曲げ部７ａを係合させるだけで、幅木６を起立姿勢に簡単に固定することができ、また幅木６をプレート本体７上に折り畳む時は、レバー１２の上端部を幅木６の内側へ押せば、ツカミ部１２ａをプレート本体７の端部折り曲げ部７ａから離脱するから、簡単にロック解除することができる。なお、この実施形態では、固定手段８として、２つのロック金具１１を使用しているが、幅木６の全長が短い場合には、幅木６の長手方向中央部に１つのロック金具１１を設けるだけで充分にロック作用を果たすことができる。
【００２３】
また、プレート本体７の両端部には、前記隙間Ｓに臨む足場板４ｂの一側端部に係合する係合部材１８がプレート本体７の幅方向に移動調整可能に設けられている。
【００２４】
上記係合部材１８について図５及び図６の(a) 〜(c) を参照して説明すると、この係合部材１８は、図６の(a) ，(c) に示すように、前記隙間Ｓに臨む足場板４ｂの側面折り曲げ部２０に係合するように形成された側面視Ｌ字状の本体部１８ａと、この本体部１８ａの上端部から直角に折曲延設された平面視矩形状の取付用基端部１８ｂとからなる。そして、この係合部材１８は、プレート本体７にその幅方向に長く形成されたボルト挿通孔長孔２１に挿通されて、取付用基端部１８ｂのネジ孔２２に螺着される固定用ボルト２３を備えていて、このボルト２３を緩めて長孔２１に沿って移動させることにより、係合部材１８をプレート本体７の幅方向に移動調整することができる。
【００２５】
また図５及び図６の(b) に示すように、プレート本体７側には、このプレート本体７に前記ボルト挿通孔長孔２１と平行に切り込み２４を入れて下向きに切り起こしたガイド片２５を設けて、係合部材１８をプレート本体７の幅方向に移動調整する際に、そのガイド片２５によって係合部材１８の取付用基端部１８ｂの一端面を摺接案内するようにしている。
【００２６】
上述したように構成される幅木６付き隙間塞ぎプレート５の使用にあたっては、図１及び図２に示すように、対向する一対の足場用建枠１，１の横材３，３間に架け渡された足場板４ａ，４ｂにおいて足場板４ｂの一側端部と建枠１の縦材２側との間に形成される隙間Ｓを塞ぐように幅木６付き隙間塞ぎプレート５を取り付ける。即ち、プレート本体７の一側端部の両端に突出する掛止フック９，９を、足場用建枠１，１の横材３，３に掛止すると共に、プレート本体７の他側端部の傾斜部片７ｂを図６の(a) に示すように足場板４ｂの一側端部上に載置する。そして、プレート本体７の一側端部上に蝶着されている幅木６を起立させて、固定手段８のロック金具１１により固定する。
【００２７】
また、各係合部材１８の取付用基端部１８ｂに螺着されている固定用ボルト２３を緩めて、プレート本体７の長孔２４に沿って移動させ、各係合部材１８の側面視Ｌ字状の本体部１８ａを、図６の(a) ，(c) に示すように、隙間Ｓに臨む足場板４ｂの側面折り曲げ部２０に係合させた後、固定用ボルト２３を締め付けて、各係合部材１８をプレート本体７に固定し、これによって幅木６付き隙間塞ぎプレート５の取付けを終了する。この幅木６付き隙間塞ぎプレート５の取付状態は、図２の(a) ，(b) に示す通りである。
【００２８】
図７の(a) 〜(d) は固定手段８のロック金具１１によってプレート本体７上に起立姿勢に固定した幅木６を、ロック解除してプレート本体７上に折り畳む状態を示したもので、(a) は幅木６がロック金具１１で起立姿勢に固定された状態にあり、この状態からレバー１２上端部の把手１２ｂをバネ１４に抗して幅木６の内側へ押し込むようにすれば、(b) に示すようにツカミ部１２がをプレート本体７の端部折り曲げ部７ａから離脱するから、(c) に示す状態から幅木６を押し倒すと、幅木６は(d) に示すようにプレート本体７上に重なり合った状態に折り畳まれる。
【００２９】
プレート本体７上に折り畳まれた幅木６を起立させる時には、幅木６の上端部側を持ち上げれば、幅木６は、折り畳み時とは逆の動作を行い、つまり図７の(d) に示す状態から(a) に示す状態へと瞬時に回転して起立すると同時に、固定手段８のロック金具１１によって起立位置に固定される。
【００３０】
以上説明したように、本発明に係る隙間塞ぎプレート５を使用することによって、対向する一対の足場用建枠１，１の横材３，３間に架け渡された足場板４ａ，４ｂにおいて足場板４ｂの一側端部と建枠１の縦材２側との間に形成される隙間Ｓを、プレート本体７によって塞ぐことができ、それにより作業床を広く有効に使用することができ、またプレート本体７に取り付けた幅木６を起立させることによって、プレート本体７側からの各種工具類や資材等の落下防止を図ることができる。
【００３１】
また、隙間塞ぎプレート５の取付けにあたっては、プレート本体７の両端部に突設した掛止フック９を足場用建枠１の横材３に掛止させ、プレート本体７の他側端部を足場板４ｂの一側端部上に載置するだけでよいから、簡単容易に取り付けることができる。この場合、各掛止フック９は、フック本体９ａと落下錠９ｂとからなるもので、足場用建枠１の横材３に取り付ける際に、落下錠９ｂをフック部１０に対し引き上げた状態で、フック本体９ａを横材３に上方より掛止した後、落下錠９ｂを放せば、落下錠９ｂが自重落下してフック本体９ａを施錠するから、プレート本体７の幅方向移動及び浮き上がりが阻止される。また、幅木６は、使用時は固定手段８によって起立位置に安定状態に固定させることができると共に、使用しない時にはプレート本体７上に折り畳むことによって、運搬や保管に便利となる。
【００３２】
また、プレート本体７には、足場板４の一側端部に係合する係合部材１８がプレート本体７の幅方向に移動調整可能に設けてあるため、係合部材１８を、足場板４ｂの一側端部に係合させることによって、プレート本体７の風圧等による浮き上がりを防止することができ、また係合部材１８を適宜に移動調整することにより、前記隙間Ｓの幅が多少変わっても、プレート本体７をその隙間Ｓに適切に取り付けることができる。この場合、プレート本体７側にはボルト挿通孔長孔２１と平行にガイド片２５が設けてあるから、係合部材１８をプレート本体７の幅方向に移動調整する際に、係合部材１８は、固定用ボルト２３周りに回転することがなく、足場板４ｂに対する係合位置を保持したまま移動でき、従って係合部材１８の移動操作及び足場板４ｂに対する係合操作が容易となる。
【００３３】
また、この実施形態においては、固定手段８は幅木６の外面側に取り付けられた複数のロック金具１１からなり、各ロック金具１１は、プレート本体７の一側端部に下向きに突出する端部折り曲げ部７ａを掴むツカミ部１２ａを下端部に形成したレバー１２を、幅木６の外面側に枢着すると共に、レバー１２と幅木６との間に、幅木６が起立位置の時にレバー１２下端部のツカミ部１２ａがプレート本体７の端部折り曲げ部７ａを掴んでその位置に幅木６を固定するように付勢するバネ１４を介装することにより構成されるもので、レバー１２の下端部のツカミ部１２ａをプレート本体７の端部折り曲げ部７ａを係合させるだけで、幅木６を起立姿勢に簡単に固定することができ、また幅木６をプレート本体７上に折り畳む時は、レバー１２の上端部を幅木６の内側へ押せば、ツカミ部１２ａをプレート本体７の端部折り曲げ部７ａから離脱するから、簡単にロック解除することができる。尚、固定手段８としては、上記のような構成のロック金具１１に限らず、幅木６をプレート本体７上の一側端部上で起立姿勢に固定するものであれば、どのような構造のものでもよい。又、ロック金具１１は、前述のように幅木６の全長が短い場合には、１つだけで足る場合がある。
【符号の説明】
【００３４】
１            足場用建枠
２            足場用建枠の縦材
３            足場用建枠の横材
４            足場板
４ａ          幅広の足場板
４ｂ          幅狭の足場板
Ｓ            隙間
５            隙間塞ぎプレート
６            幅木
７            幅木のプレート本体
７ａ          端部折り曲げ部
８            固定手段
９            掛止フック
１０          蝶番
１１          ロック金具
１２          レバー
１２ａ        ツカミ部
【図１】
0005399796.tif 000002
【図２】
0005399796.tif 000003
【図３】
0005399796.tif 000004
【図４】
0005399796.tif 000005
【図５】
0005399796.tif 000006
【図６】
0005399796.tif 000007
【図７】
0005399796.tif 000008